(57)【要約】【課題】  様々な種類の扉体に適用することができ、かつ、チャイルドロック機構を備えた扉開き防止装置を提供する。【解決手段】  屈曲可能なベルト部３の両端に第１および第２係止爪４２，４３を有する係止部４，４を設けて、各ベース部２，２に対してダブルロックする。【選択図】  図１
2006348517.tif 000002
【特許請求の範囲】
【請求項１】
扉体の戸当たりを挟んで対向的に配置される一対のベース部と、上記各ベース部の間に架け渡されるベルト部とを有し、上記ベルト部の少なくとも一端に上記ベース部に対して着脱可能に連結される係止部が設けられており、上記ベース部の間に架け渡される上記ベルト部により、上記扉体の開閉を規制する扉開き防止装置において、
上記係止部は、互いに直交する方向に弾性変形する第１および第２係止爪を備えているとともに、上記ベース部には、上記各係止爪に対する第１および第２係止部が設けられており、上記係止部を上記ベース部内に差し込むことにより、上記第１および第２係止部が上記第１および第２被係止部に個別的に係止することを特徴とする扉開き防止装置。
【請求項２】
上記ベース部には、上記各係止爪の一部を露出させる第１，第２解除窓が設けられており、上記第１および第２解除窓から同時に上記第１，第２係止爪を操作することにより、上記係止部が解除されることを特徴とする請求項１に記載の扉開き防止装置。
【請求項３】
上記第２係止爪は上記ベース部の取付面に対して直交する方向に弾性変形可能であり、上記第１係止爪は上記第２係止爪の弾性変形方向に対して直交する方向に変形し、上記第１係止爪が上記第２係止爪の両側に一対として配置されていることを特徴とする請求項１または２に記載の扉開き防止装置。
【請求項４】
上記ベルト部は屈曲可能であることを特徴とする請求項１，２または３に記載の扉開き防止装置。
【請求項５】
上記ベース部は、つまみ部を有する延伸剥離テープを介して上記被取付面に取り付けられ、上記ベース部には、両面粘着テープの一部を覆い隠すための化粧板が設けられていることを特徴とする請求項１〜４のいずれか１項に記載の扉開き防止装置。
【発明の詳細な説明】
【技術分野】
【０００１】
本発明は、扉体の開閉を規制するための扉開き防止装置に関し、さらに詳しく言えば、扉体の種類に応じて様々な取付態様が可能な扉開き防止装置に関する。
【０００２】
一般に、０〜３歳の知育発達時の幼児は、目に入るもの全てに興味を覚え、手で触れたり口に入れるなどして、知恵を徐々に付けていくが、例えば食器などの壊れやすいものや薬や刃物などの危険物には、できる限り触れさせない方がよい。また、クローゼットなどの大型収納は扉が重く、指を挟むと大けがをするおそれがある。
【０００３】
そこで、幼児がこのような事故を起こさないようにするため、扉の開閉を規制する扉開き防止装置が各種提案されてる。例えば特許文献１に記載の扉開き防止装置は、家具の扉体の戸当たりを挟んで対称位置に取り付けられる一対のベース部を有し、一方のベース部の支軸にアーム部が回転可能に取り付けられ、他方のベース部にアーム部を係止することにより、戸当たりを跨いでアーム部が配置されることにより開閉が規制される。
【０００４】
アーム部内には、ロック手段としてのロックレバーを有し、このロックレバーを２段階で移動させることにより、ロックが解除されるようになっている。これによれば、ロック時は幼児にとって簡単には開けることができない。
【０００５】
すなわち、ロックを解除するためには、まず、ロックレバーを上に持ち上げて半解錠状態とした上で、さらに係止爪を横に移動させる２ステップ方式でロックを解除しなければならないからである。
【０００６】
しかしながら、上記扉開き防止装置には、次のような問題があった。すなわち、この扉開き防止装置は、一対のベース部間に回動可能なアーム部を跨がせることにより、扉体の開閉を規制している。そのため、戸当たりが角部にあるような場合は、アーム部を角部に跨るように取り付けることはできなかった。
【０００７】
【特許文献１】特開２００４−３６０１９２号公報
【発明の開示】
【発明が解決しようとする課題】
【０００８】
そこで、本発明は上述した課題を解決するためになされたものであって、その目的は、様々な種類の扉体に適用することができ、かつ、チャイルドロック機構を備えた扉開き防止装置を提供することにある。
【課題を解決するための手段】
【０００９】
上述した目的を達成するため、本発明は以下に示すいくつかの特徴を備えている。請求項１に記載の発明は、扉体の戸当たりを挟んで対向的に配置される一対のベース部と、上記各ベース部の間に架け渡されるベルト部とを有し、上記ベルト部の少なくとも一端に上記ベース部に対して着脱可能に連結される係止部が設けられており、上記ベース部の間に架け渡される上記ベルト部により、上記扉体の開閉を規制する扉開き防止装置において、上記係止部は、互いに直交する方向に弾性変形する第１および第２係止爪を備えているとともに、上記ベース部には、上記各係止爪に対する第１および第２係止部が設けられており、上記係止部を上記ベース部内に差し込むことにより、上記第１および第２係止部が上記第１および第２被係止部に個別的に係止することを特徴としている。
【００１０】
請求項２に記載の発明は、上記請求項１において、上記ベース部には、上記各係止爪の一部を露出させる第１，第２解除窓が設けられており、上記第１および第２解除窓から同時に上記第１，第２係止爪を操作することにより、上記係止部が解除されることを特徴としている。
【００１１】
請求項３に記載の発明は、上記請求項１または２において、上記第２係止爪は上記ベース部の取付面に対して直交する方向に弾性変形可能であり、上記第１係止爪は上記第２係止爪の弾性変形方向に対して直交する方向に変形し、上記第１係止爪が上記第２係止爪の両側に一対として配置されていることを特徴としている。
【００１２】
請求項４に記載の発明は、上記請求項１，２または３において、上記ベルト部は屈曲可能であることを特徴としている。
【００１３】
請求項５に記載の発明は、上記請求項１〜４のいずれか１項において、上記ベース部は、つまみ部を有する延伸剥離テープを介して上記被取付面に取り付けられ、上記ベース部には、両面粘着テープの一部を覆い隠すための化粧板が設けられていることを特徴としている。
【発明の効果】
【００１４】
本発明によれば、第１および第２係止爪を直交するようにダブルロックを設けたことにより、幼児などが容易に解除することができず、いたずらを防止することができる。また、屈曲可能なベルト部の両端にベース部が設けられていることにより、一方のベース部を側面に貼り付け、ベルト部を９０°折り曲げて、他方のベース部を正面に貼り付けることができ、扉体の種類に応じて設置場所を自由に設定できる。
【発明を実施するための最良の形態】
【００１５】
次に、本発明の実施形態について図面を参照しながら説明するが、本発明はこの限りでない。図１は、本発明の一実施形態に係る扉開き防止装置の使用状態を示す斜視図である。図２（ａ）は本発明の扉開き防止装置の正面図であり、図２（ｂ）はその背面図、図２（ｃ）は平面図、図２（ｄ）は正面図中央横断面図である。図３は要部の分解斜視図である。
【００１６】
この扉開き防止装置１は、例えばキャビネットなどの家具Ｆに開閉可能に取り付けられた扉体Ｄの戸当たりＤ１を挟んで対向的に取り付けられる一対のベース部２，２と、各ベース部２，２の間に架け渡されるベルト部３と有し、ベルト部３の両端には、各ベース部２，２とベルト部３とを連結する係止部４，４が設けられている。この例において、ベース部２，２、ベルト部３および係止部４はともに、合成樹脂の成型品からなる。
【００１７】
図３に示すように、ベルト部３は、屈曲可能な柔軟性のある合成樹脂からなり、中央にはさらに柔軟性をよくするための開口部３１が設けられている。この例において、ベルト部３は透明体である。なお、ベルト部３の材質は、屈曲可能で適度な柔軟性を備えていれば、合成樹脂に限らない。例えば織物からなるベルトでもよい。
【００１８】
ベルト部３の両端には、係止部４，４に引っ掛けられる係止孔３２，３２が設けられている。係止孔３２，３２はベルト部３の幅方向に沿って形成された長孔からなり、この係止孔３２，３２に係止部４の係止凸部４４が引っ掛けられることで、ベルト部３の両端に係止部４，４が取り付けられる。
【００１９】
次に、係止部４，４について説明するが、係止部４，４は同一構成であるため、一方のみを説明し、他方についての説明は省略する。係止部４は、一端側（図３では左側）にベルト部３が取り付けられる開口部４１を有し、他端側にベース部２の中に差し込まれる第１係止爪４２と第２係止爪４３とが突設されている。
【００２０】
図２（ｄ）に示すように、係止部４の内側（図２（ｄ）では下面側）には、ベルト部３の係止孔３２に差し込まれる係止凸部４４が設けられている。係止凸部４４は、係止孔３２内に嵌合される矩形状の凸部からなり、先端がベルト部３が取り付けやすいようにテーパー状に形成されている。
【００２１】
図３に示すように、開口部４１には、係止凸部４４とともにベルト部３の支える支持バー４１１が設けられている。支持バー４１１は、ベース部２１の両端に跨るように開口部４１の下側に設けられており、支持バー４１１によってベルト部３の下面がホールドされる。
【００２２】
第１係止爪４２には左右一対の係止爪メンバー４２ａ，４２ｂが含まれる。係止爪メンバー４２ａ，４２ｂは、一端が係止部４に接続され、他端が係止部４から離反する方向に向かって水平に延説された板バネ部４２１，４２１と、同板バネ部４２１，４２１の先端からＵ字状に折り返されたフック部４２２，４２２とを備えている。
【００２３】
フック部４２２，４２２は、その側面がベース部２の内周面に沿って常に当接するように外側に向かって張り出されており、その先端には、ベース部２内に設けられた係止リブ２５１，２５１に係止される切欠部４２３，４２３が設けられている。切欠部４２３，４２３は、フック部４２２，４２２の先端の一部を内側に向かって一段低く形成した段差面からなる。
【００２４】
第２係止爪４３は、第１係止爪４２の各係止爪メンバー４２ａ，４２ｂの間に設けられている。第２係止爪４３は、係止部４から離反する方向に向かって延設された板バネ部４３１と、同板バネ部４３１の先端に一体的に形成されたフック部４３２とを備え、板バネ部４３１とフック部４３２との間には、凹溝４３３が形成されいる。
【００２５】
次に、図２（ａ）〜（ｄ）および図３を参照して、ベース部２，２について説明するが、ベース部２，２はともに同一構成であるため、以下においては、一方のベース部２のみについて説明し、他方のベース部２についての説明は省略する。
【００２６】
ベース部２は、家具などの壁面を被取付面として、そこに取り付けられる基台２１と、同基台２１に着脱自在に取り付けられる化粧板２２とを備えている。基台２１は底面が被設置面に対して水平に形成されており、その底面に両面粘着テープＴ（図５参照）が貼り付けられる。
【００２７】
基台２１は、内部に係止部４が収納可能な中空体からなり、その一端側（図３では右側）には、係止部４が差し込まれる開口部２３が設けられている。図６を併せて参照して、基台２１の内部には、２枚の仕切壁２４，２４が設けられており、この仕切壁２４，２４により内部が第１〜第３の３つの収納室２５ａ〜２５ｃの３室に仕切られている。
【００２８】
第１および第２収納室２５ａ，２５ｂは、基台２１の仕切壁２４，２４の外側に設けられており、第１および第２収納室２５ａ，２５ｂ内に上述した第１係止爪４２が差し込まれる。第１および第２収納部２５ａ、２５ｂ内には、第１係止爪４２のフック部４２２に形成された切欠部４２３が引っ掛けられる係止リブ２６，２６が設けられている。
【００２９】
図６に示すように、係止リブ２６，２６は、第１および第２収納室２５ａ，２５ｂの側壁面に沿って断面四角状に形成されており、その角部にフック部４２２の切欠部４２３が引っ掛けられることにより、第１係止爪４２の抜け止めとして作用している。
【００３０】
第１および第２収納室２５ａ，２５ｂには、第１係止爪４２の一部を外に露出させるための第１解除窓２５１，２５１が設けられている。第１解除窓２５１，２５１は、基台２１の両側面に設けられている。
【００３１】
第１解除窓２５１，２５１は、第１係止爪４２のフック部４２２の側面を露出するように設けられており、この第１解除窓２５１，２５１からフック部４２２を内側に押し込むことにより、切欠部４２３が内側に押し込まれ、フック部４２２のロックを解錠することができる。
【００３２】
第２収納室２５ｃは、仕切壁２４，２４の間に設けられており、この第２収納室２５ｃに沿って第２係止爪４３が差し込まれる。第２収納室２５ｃには、第２係止爪４３のフック部４３２が嵌合される係止孔２５２が設けられており、係止孔２５２に隣接して凹溝４３３が係止される係止リブ２５３がさらに設けられている。
【００３３】
第２収納室２５ｃの上面側には、第２係止爪４３を露出させるための第２解除窓２５４が設けられている。第２解除窓２５４は、板バネ部４３１に沿ってコ字状に開口されており、そこに板バネ部４３１が同一平面になるように嵌合される。
【００３４】
これによれば、第２解除窓２５４に係止された板バネ部４３１を下に押し込むことにより、先端のフック部４３２が下に押し下げられ、フック部４３２のロックを解除することができる。
【００３５】
次に、図３および図５を参照して、この例において、両面粘着テープＴは、テープ基材を鉛直方向に引っ張ることにより粘着力が低下する延伸剥離テープが用いられる。この種の延伸剥離テープは、引っ張ることができるように、その端部（つまみ部Ｔ１）が取付部分からはみ出されるが、これでは見映えが悪い。
【００３６】
そこで、つまみ部Ｔ１を覆い隠すために化粧板２２が用いられる。化粧板２２は矩形状の板体からなり、底面が粘着テープＴのつまみ部Ｔ１を覆い隠すため凹まされている。化粧板２２の底部には、基台２２の取付孔２７に挿入される係止凸部２２１が設けられており、この係止凸部２２１に取付孔２７が嵌合する。
【００３７】
基台２１の開口部２３の両側面には、化粧板２２を挟み込むため係止溝２８，２８が設けられている。係止溝２８，２８は、化粧板２２の取付方向に沿って平行に形成されており、係止溝２８，２８に沿って化粧板２２が差し込まれることで、基台２１により強固に固定される。
【００３８】
次に、図１および図４を参照して、この扉開き防止装置１の使用手順の一例について説明する。まず、この扉開き防止装置１を家具Ｆの扉体Ｄ，Ｄに取り付けるに当たっては、予め組み立てられた状態の扉開き防止装置１の各ベース部２，２の底面に両面粘着テープＴを貼り付ける。
【００３９】
次に、図１に示すように扉体Ｄの戸当たりＤ１を挟むようにして一方のベース部２を扉体Ｄに、他方のベース部２を家具Ｆの側面に貼り付ける。最後に、一方のベース部２にベルト部３の一方の係止部４を差し込み、ベルト部３を９０°折り曲げて、他方ベース部２に他方の係止部４を差し込む。これにより、戸当たりＤ１を跨ぐようにしてベルト部３が架け渡され、扉体Ｄの開閉が規制される。
【００４０】
ロックを解除するに当たっては、まず、片方の手でベース部２の第１解除窓２５１，２５１から露出しているフック部４２２，４２２を内側に押し込む。これにより、第１係止爪４２のロックが解除される。
【００４１】
この状態を維持しつつ、他方の手で第２係止爪４３を上から下に向かって押し込む。これにより、第２係止爪４３のロックが解除される。第１および第２係止爪４２，４３のロックを同時に解除した状態のまま、係止部４をベース部２から引き出す。これにより、ベルト部３による拘束が解除され、扉体Ｄ１を開閉可能になる。
【００４２】
幼児の安全対策具が必要な期間は３年程度であり、不要となった場合には取り外される。そこで、扉開き防止装置１を扉体Ｄから取り外すに当たっては、図５に示すように、まず、扉体Ｄに取り付けられたベース部２から化粧板２２を取り外す。これにより、ベース部２の底面から両面粘着テープＴのつまみ部Ｔ１が表れる。
【００４３】
次に、使用者は、一方の手で基台２１を押さえ付けて固定したのち、他方の手で露出している両面粘着テープＴのつまみ部Ｔ１を把持し引っ張る。これにより、両面粘着テープＴは延伸され、壁面から引きはがされる。以上の、一連の工程により全ての両面粘着テープＴを剥がし取ることにより、簡単かつ綺麗に基台２１を取り外すことができる。
【００４４】
この実施形態において、扉開き防止装置１は、片開き式の扉体Ｄに適用した場合について例示したが、これ以外に、両開き式や観音開き式の扉体に適用してもよい。また、引き戸の戸当たりに設けてもよい。さらには、キャビネットの引き出しに取り付けて使用してもよい。
【００４５】
また、上記実施形態では、ベルト部３の両端に係止部４，４が設けられており、各係止部４，４がベース部２，２に対して着脱可能とされているが、ベルト部３の少なくとも一方に係止部４を設けて着脱可能とし、他方をベース部２に固定してもよく、このような態様も本発明に含まれる。
【図面の簡単な説明】
【００４６】
【図１】本発明の一実施形態に係る扉開き防止装置の使用状態を示す斜視図。
【図２】（ａ）：上記扉開き防止装置の正面図、（ｂ）：上記扉開き防止装置の背面図、（ｃ）：上記扉開き防止装置の平面図、（ｄ）：上記扉開き防止装置の正面図中央横断面図。
【図３】上記扉開き防止装置の分解斜視図。
【図４】上記扉開き防止装置の連結状態を示す斜視図。
【図５】基台と化粧板、および係止部の係止状態を説明する断面図。
【図６】係止部の係止状態を説明するための説明図。
【符号の説明】
【００４７】
１  扉開き防止装置
２  ベース部
２１  基台
２２  化粧板
２３  開口部
２４  仕切壁
２５ａ〜２５ｃ  第１〜第３収納室
３  ベルト部
４  係止部
４１  開口部
４２  第１係止爪
４３  第２係止爪
【図１】
2006348517.tif 000003
【図２】
2006348517.tif 000004
【図３】
2006348517.tif 000005
【図４】
2006348517.tif 000006
【図５】
2006348517.tif 000007
【図６】
2006348517.tif 000008